(57)【要約】【課題】室内ユニット内のエアフィルタから除去された塵埃を貯留するための塵埃捕集箱において、容積の大きい塵埃捕集箱でも天井裏に設置する際の作業性の向上を図れるような構成を得る。【解決手段】天井板（1）に形成された開口（1a）内に空気調和装置（10）の室内ユニット（13）を設置する。上記ケーシング（26）内のエアフィルタ（40）から除去され且つ搬送通路（76）を介して上記ケーシング（26）外へ排出される塵埃を溜めるための塵埃捕集箱（90）を設ける。この塵埃捕集箱（90）は、箱面を構成する各パネル（97,98,…）が互いに接続されているとともに、当該接続部分は該各パネル（97,98,…）が面直交方向に回動可能となるように構成されている。また、上記塵埃捕集箱（90）は、略平板状の折りたたみ状態と箱状の組立状態とに変形可能に構成されている。【選択図】図１３
2009047381.tif 000002
【特許請求の範囲】
【請求項１】
天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱であって、
箱面を構成する各パネル（97,98,…）は互いに接続され、当該接続部分は該各パネル（97,98,…）が面直交方向に回動可能となるように構成されていて、
略平板状の折りたたみ状態と箱状の組立状態とに変形可能に構成されていることを特徴とする塵埃捕集箱。
【請求項２】
請求項１に記載の塵埃捕集箱において、
６枚のパネル（97,98,…）によって六面体状に形成され、
上記６枚のパネル（97,98）のうち互いに向かい合う２枚のパネル（97,97）は、その一辺で残りの４枚のパネル（98,98,…）のうちの１枚のパネル（98）に接続され、該残りの４枚のパネル（98,98,…）は、角筒状になるように互いに接続されていることを特徴とする塵埃捕集箱。
【請求項３】
請求項１または２に記載の塵埃捕集箱において、
上記接続部分には、接続されるパネル（97,98,…）の辺に沿うように延びるスリット部（90c）が設けられていることを特徴とする塵埃捕集箱。
【請求項４】
請求項１または２に記載の塵埃捕集箱において、
上記接続部分には、パネル（97,98,…）同士を回動可能に接続するヒンジ部（103）が設けられていることを特徴とする塵埃捕集箱。
【請求項５】
天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱であって、
箱面を構成する複数の面を備えた構成部品（111,111）を組み合わせてなることを特徴とする塵埃捕集箱。
【請求項６】
請求項５に記載の塵埃捕集箱において、
一面が開口している略箱状の２つの構成部品（111,111）をその開口側同士で接続してなることを特徴とする塵埃捕集箱。
【請求項７】
天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱であって、
伸縮可能な蛇腹部（121）が設けられていることを特徴とする塵埃捕集箱。
【請求項８】
請求項７に記載の塵埃捕集箱において、
直方体状に形成され、
上記蛇腹部は、長手方向に伸縮可能に設けられていることを特徴とする塵埃捕集箱。
【請求項９】
請求項１から８のいずれか一つに記載の塵埃捕集箱において、
室内側から見て少なくとも一部が上記天井板（1）の開口（1a）よりも外方に位置するように天井裏に設けられていることを特徴とする塵埃捕集箱。
【請求項１０】
請求項９に記載の塵埃捕集箱において、
上記室内ユニット（13）のケーシング（26）の側方に係止手段（96）を介して取り付けられていることを特徴とする塵埃捕集箱。
【請求項１１】
請求項１０に記載の塵埃捕集箱において、
上記係止手段は磁石（96）であり、
上記磁石（96）は金属製の上記ケーシング（26）との当接面上に配設されていることを特徴とする塵埃捕集箱。
【発明の詳細な説明】
【技術分野】
【０００１】
本発明は、空気調和装置の室内ユニット内のエアフィルタから除去した塵埃を貯留するための塵埃捕集箱に関する。
【背景技術】
【０００２】
従来より、空気の吸込口にエアフィルタを備えた空気調和装置の室内ユニットにおいて、エアフィルタに捕捉された塵埃を除去するための除塵除去手段を備えたものが知られている。この種の空気調和装置では、一般的に、エアフィルタから除去された塵埃が貯留される貯留容器が室内ユニット内に設けられているため、貯留容器内の塵埃を回収する場合には、ユニットのカバー（グリル等）を外した後、該貯留容器を取り出す必要がある。
【０００３】
これに対し、例えば特許文献１に開示されるように、上記貯留容器のみを取り外せるように該貯留容器を塵埃箱として上記室内ユニットのケーシング外に配設するとともに、該塵埃除去手段によってエアフィルタから除去した塵埃を風の流れによって上記塵埃箱内に搬送するような構成が考えられている。こうすることで、ユーザーの手を煩わすことなく、エアフィルタに捕捉された塵埃をケーシング外に排出して、上記塵埃箱内に塵埃を貯留し、該塵埃箱内から塵埃を容易に取り出すことができる。
【特許文献１】特開２００５−１９５２１６号公報
【発明の開示】
【発明が解決しようとする課題】
【０００４】
しかしながら、上述した特許文献１に開示される空気調和装置は、室内ユニットのケーシングの一部である室内側パネル上の余ったスペースに塵埃箱を配置したものであり、スペースの関係上、該塵埃箱の容積をあまり大きくすることはできない。そうすると、室内ユニット内のエアフィルタから除去した塵埃を上記塵埃箱内に貯留するようにしても、該塵埃箱内に溜まった塵埃を頻繁に取り出す必要がある。したがって、上述のようにエアフィルタから除去した塵埃を室内ユニットのケーシング外に排出したとしても、上記貯留容器内の塵埃を取り出す手間が必要になり、ユーザーにとって煩わしい作業となる。
【０００５】
これに対し、内部の容積が大きい塵埃捕集箱をケーシング外に設置することが考えられる。しかしながら、室内ユニットが設置される狭い天井裏に大きな塵埃捕集箱を設置しようとすると、例えば天井板の開口内の室内ユニットとの間の隙間から天井裏内に大きな塵埃捕集箱を搬入する（図１２参照）のは困難であり、現地での塵埃捕集箱の設置作業が難しくなる。したがって、上述のように塵埃捕集箱の容積を大きくすると、該塵埃捕集箱内に多くの塵埃を貯留でき、塵埃回収の手間を軽減できる反面、天井裏に設置する際の作業性は悪化してしまう。
【０００６】
本発明は、斯かる点に鑑みてなされたものであり、その目的とするところは、室内ユニット内のエアフィルタから除去された塵埃を貯留するための塵埃捕集箱において、容積の大きい塵埃捕集箱でも天井裏に設置する際の作業性の向上を図れるような構成を得ることにある。
【課題を解決するための手段】
【０００７】
上記目的を達成するために、本発明に係る塵埃捕集箱（90）では、箱面を構成する各パネル（97,98）を互いに接続するとともに、その接続部分をパネル（97,98）の面直交方向に回動可能に構成し、平面状の折りたたみ状態と箱状の組立状態とに変形可能にした。これにより、塵埃捕集箱（90）を天井裏に設置する際にはコンパクトにして、該天井裏で箱状に容易に組み立てることができる。
【０００８】
具体的には、第１の発明では、天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱を対象とする。
【０００９】
そして、箱面を構成する各パネル（98,98,…）は互いに接続され、当該接続部分は該各パネル（98,98,…）が面直交方向に回動可能となるように構成されていて、略平板状の折りたたみ状態と箱状の組立状態とに変形可能に構成されているものとする。
【００１０】
この構成により、塵埃捕集箱（90）の箱面を構成するように互いに接続されている各パネル（97,98,…）は、それらの接続部分で曲げられて、略平板状に折りたたむことができる。この状態で、狭い天井裏内に搬入し、箱状に組み立てることで、天井裏内に容量の大きい塵埃捕集箱（90）を容易に設置することができる。すなわち、例えば空気調和装置（10）の室内ユニット（13）を先に天井裏に配置し、その後、塵埃捕集箱（90）を設置するような場合（図１２参照）には、該室内ユニット（13）と天井板（1）の開口縁部との狭い隙間から天井裏へ塵埃捕集箱（90）を搬入しなければならないが、このような場合でも、上記塵埃捕集箱（90）を略平板状に折りたたむことで天井裏に容易に搬入することができる。そして、天井裏に搬入された略平板状の塵埃捕集箱（90）を展開して組み立てることにより、箱状にすることができる。この際、箱面を構成する各パネル（98,98,…）は互いに接続されているため、天井裏で部材同士を組み合わせる作業を行うことなく、パネル（98,98,…）の組立作業だけで箱体を構成することができ、塵埃捕集箱（90）を組み立てる際の作業性の向上を図れる。
【００１１】
上述の構成において、上記塵埃捕集箱（90）は、６枚のパネル（97,98,…）によって六面体状に形成され、上記６枚のパネル（97,98）のうち互いに向かい合う２枚のパネル（97,97）は、その一辺で残りの４枚のパネル（98,98,…）のうちの１枚のパネル（98）に接続され、該残りの４枚のパネル（98,98,…）は、角筒状になるように互いに接続されているのが好ましい（第２の発明）。
【００１２】
これにより、角筒状に接続された４枚のパネル（98,98,…）を折りたためば、六面体の塵埃捕集箱（90）を構成する各パネル（97,98,…）は互いに接続された状態で略平板状になる。一方、上記４枚のパネル（98,98,…）を立ち上げて角筒状にした後、その両端部を、互いに向かい合う残りの２枚のパネル（97,97）で塞ぐことにより、箱体を構成することができる。したがって、以上の構成によれば、六面体状の塵埃捕集箱（90）において、上記第１の発明の構成を実現することができ、該第１の発明と同様の作用を得ることができる。
【００１３】
また、上記接続部分には、接続されるパネル（97,98,…）の辺に沿うように延びるスリット部（90c）が設けられているのが好ましい（第３の発明）。こうすることで、パネル（97,98,…）同士を接続している接続部で、該パネル（97,98,…）を面直交方向に容易に回動させることができ、塵埃捕集箱（90）を略平板状の折りたたみ状態と箱状の組立状態とに容易に変形させることができる。
【００１４】
また、上記接続部分には、パネル（97,98,…）同士を回動可能に接続するヒンジ部（103）が設けられていてもよい（第４の発明）。これにより、パネル（97,98,…）同士を容易に回動させて、塵埃捕集箱（90）を折りたたみ状態と組立状態とに容易に変形させることができる。
【００１５】
第５の発明は、上記第１の発明と同様、天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱を対象とする。そして、箱面を構成する複数の面を備えた構成部品（111,111）を組み合わせてなるものとする。
【００１６】
この構成により、塵埃捕集箱（110）を天井裏に設置する際には、箱体をそのまま天井裏内に搬入することなく、複数の構成部品（111,111）に分けて搬入することができるため、狭い隙間からでも天井裏内へ塵埃捕集箱（110）を搬入できるとともに、該塵埃捕集箱（110）を搬入する際の作業性の向上を図れる。しかも、上記構成部品（111）は、箱面を構成する複数の面を備えた部品であるため、１面ずつ別々の部材を組み立てる場合に比べて塵埃捕集箱（110）を組み立てる際の作業性の向上を図れる。
【００１７】
上述の構成において、上記塵埃捕集箱（110）は、一面が開口している略箱状の２つの構成部品（111,111）をその開口側同士で接続してなるものとする（第６の発明）。これにより、塵埃捕集箱（110）を構成部品（111）の状態で天井裏に搬入できるため、狭い隙間からでも天井裏内への塵埃捕集箱（110）の搬入が可能になるとともに、該塵埃捕集箱（110）を天井裏へ搬入する際の作業性の向上を図れる。しかも、２つの構成部品（111,111）を組み合わせることで箱体を構成できるため、天井裏で行われる塵埃捕集箱（110）の組立作業の作業性の向上を図れる。
【００１８】
第７の発明は、上記第１の発明と同様、天井板（1）に形成された開口（1a）内に設置される空気調和装置（10）の室内ユニット（13）のケーシング（26）と搬送通路（76）を介して接続されていて、該ケーシング（26）内の室内ファン（39）の吸込側に位置するエアフィルタ（40）から除去され且つ上記搬送通路（76）を介して上記ケーシング（26）外へ排出される塵埃を溜めるための塵埃捕集箱を対象とする。そして、伸縮可能な蛇腹部（121）が設けられているものとする。
【００１９】
この構成により、塵埃捕集箱（120）を天井裏内に搬入する際には、蛇腹部（121）を縮めて該塵埃捕集箱（120）をコンパクトにすることができる。よって、狭い隙間から天井裏への塵埃捕集箱（120）の搬入が可能になるとともに、該塵埃捕集箱（120）を搬入する際の作業性の向上を図れる。そして、上記塵埃捕集箱（120）を天井裏内に搬入した後、蛇腹部（121）を拡げることで箱状に容易に形成できるため、塵埃捕集箱（120）を組み立てる際の作業性の向上を図れる。
【００２０】
特に、上記塵埃捕集箱（120）は、直方体状に形成され、上記蛇腹部（121）は、長手方向に伸縮可能に設けられているのが好ましい（第８の発明）。これにより、直方体状の塵埃捕集箱（120）をよりコンパクトにすることができ、天井裏内への塵埃捕集箱（120）の搬入がより容易になる。
【００２１】
また、以上の構成において、上記塵埃捕集箱（90）は、室内側から見て少なくとも一部が上記天井板（1）の開口（1a）よりも外方に位置するように天井裏に設けられているものとする（第９の発明）。このように、一部が天井板（1）の開口（1a）よりもはみ出すような大きさの塵埃捕集箱（90）を天井裏内に配設する場合、上記各発明のように塵埃捕集箱（90）を天井裏内に搬入する際にはできるだけ小さくし、該天井裏で箱体に組み立てるようにすることで、狭い隙間からでも天井裏に塵埃捕集箱（90）を搬入できるとともに、該塵埃捕集箱（90）の搬入作業及び組立作業の作業性の向上を図れる。
【００２２】
また、上記塵埃捕集箱（90）は、上記室内ユニット（13）のケーシング（26）の側方に係止手段（96）を介して取り付けられているのが好ましい（第１０の発明）。これにより、室内ユニット（13）のケーシング（26）とは別に塵埃捕集箱（90）を天井裏で支持する必要がなくなるので、該塵埃捕集箱（90）の天井裏への設置が容易になる。特に、上記係止手段は磁石（96）であり、上記磁石（96）は金属製の上記ケーシング（26）との当接面上に配設されているのが好ましい（第１１の発明）。こうすれば、上記塵埃捕集箱（90）のケーシング（26）への取り付けが容易になり、該塵埃捕集箱（90）を天井裏に設置する際の作業性の向上を図れる。しかも、係止手段として磁石（96）を用いることで、室内ユニット（13）のケーシング（26）に多少の凹凸がある場合でも、上記塵埃捕集箱（90）をケーシング（26）に確実に固定することができる。
【発明の効果】
【００２３】
以上のように、本発明によれば、空気調和装置（10）の室内ユニット（13）内のエアフィルタ（40）から除去された塵埃を溜めるための塵埃捕集箱（90）を、接続部分で面直交方向に回動可能なように互いに接続された複数のパネル（97,98,…）によって構成し、略平板状の折りたたみ状態と箱状の組立状態とに変形可能に構成したため、狭い天井裏内に塵埃捕集箱（90）を搬入する際には折りたたんで、搬入後は天井裏内で箱状に組み立てることが可能となる。したがって、上記塵埃捕集箱（90）を天井裏に搬入する際の作業性の向上を図れる。しかも、上記パネル（97,98,…）は互いに接続されているため、天井裏内でバラバラの状態の各パネルを組み立てる場合よりも組立作業性の向上を図れる。
【００２４】
また、第２の発明によれば、上記塵埃捕集箱（90）は六面体状であり、そのうち互いに向かい合う２枚のパネル（97,97）は一辺で残りの４枚パネル（98,98,…）のうち１枚のパネル（98）に接続されている一方、該残りの４枚のパネル（98,98,…）は角筒状になるように互いに接続されているため、塵埃捕集箱（90）を折りたたんだ状態で天井裏内に搬入し、該天井裏内で容易に箱体に組み立てることができる。したがって、上述の構成によれば、上記第１の発明の構成を実現することができ、該第１の発明と同様の効果を得ることができる。
【００２５】
また、第３の発明によれば、パネル（97,98,…）同士の接続部分には、接続されるパネル（97,98,…）の辺に沿うように延びるスリット部（90c）が設けられているため、パネル（97,98,…）を面直交方向に回動させて略平板状に折りたたんだり、箱状に組み立てたりするのが容易になる。よって、塵埃捕集箱（90）を組み立てる際の作業性の向上を図れる。
【００２６】
また、第４の発明によれば、パネル（97,98,…）同士の接続部分には、該パネル（97,98,…）同士を回動可能に接続するヒンジ部（103）が設けられているため、上記第３の発明と同様、パネル（97,98,…）を面直交方向に回動させて略平板状に折りたたんだり、箱状に組み立てたりするのが容易になり、塵埃捕集箱（90）を組み立てる際の作業性の向上を図れる。
【００２７】
第５の発明によれば、空気調和装置（10）の室内ユニット（13）内のエアフィルタ（40）から除去された塵埃を溜めるための塵埃捕集箱（110）を、箱面を構成する複数の面を備えた構成部品（111,111）を組み合わせることにより構成したため、箱体よりも小さい構成部品（111,111）の状態で天井裏内に搬入することができる。したがって、狭い隙間から天井裏内への塵埃捕集箱（110）の搬入が可能になるとともに、搬入する際の作業性の向上を図ることができる。しかも、各パネル（97,98,…）がバラバラの状態に比べて部品数が少なくなるので組立作業性の向上も図ることができる。特に、第６の発明のように、上記構成部品（111）を一面が開口する箱状にして、その開口側同士の接続によって上記塵埃捕集箱（110）が得られるようにすることで、該塵埃捕集箱（110）を天井裏で組み立てる際の作業性の向上を図れる。
【００２８】
第７の発明によれば、空気調和装置（10）の室内ユニット（13）内のエアフィルタ（40）から除去された塵埃を溜めるための塵埃捕集箱（120）に、伸縮可能な蛇腹部（121）を設けたため、該蛇腹部（121）を縮めて小さくした状態で天井裏内へ搬入した後、該天井裏で蛇腹部（121）を拡げて箱状にすることが可能となる。よって、狭い隙間からでも天井裏内に塵埃捕集箱（120）を搬入できるとともに、該塵埃捕集箱（120）を天井裏へ搬入する際の作業性及び該天井裏での組立作業性の向上を図れる。特に、第８の発明のように、上記塵埃捕集箱（120）が直方体の場合に、上記蛇腹部（121）を長手方向に伸縮可能に設けることで、該塵埃捕集箱（120）をよりコンパクトにすることができる。
【００２９】
また、第９の発明によれば、上記塵埃捕集箱（90）は、その一部が天井板の開口よりも外方に位置するように天井裏に設けられているため、このように多くの塵埃を貯留可能な塵埃捕集箱（90）を上記各発明の構成にすることで、塵埃捕集箱（90）を狭い隙間からでも天井裏内へ搬入できるとともに、天井裏への搬入作業及び該天井裏内での組立作業の作業性の向上を図ることができる。
【００３０】
また、第１０の発明によれば、上記塵埃捕集箱（90）は、室内ユニット（13）のケーシング（26）の側方に係止手段（96）を介して取り付けられているため、該塵埃捕集箱（90）を狭い天井裏内で組み立てた後、天井裏で容易に固定することができる。特に、第１１の発明のように、上記係止手段は磁石（96）であり、該磁石（96）を塵埃捕集箱（90）における金属製ケーシング（26）との当接面上に配設することで、該ケーシング（26）の表面に凹凸があっても塵埃捕集箱（90）をケーシング（26）に対してより容易に且つ確実に取り付け固定することができる。
【発明を実施するための最良の形態】
【００３１】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００３２】
《実施形態１》
本実施形態に係る空気調和装置は、本発明に係る塵埃捕集箱（90）を備えた空気調和装置（10）である。この空気調和装置（10）では、室内ユニット（13）が室内空間の天井に設置される。なお、以下では、まず本実施形態に係る空気調和装置（10）の構成について説明し、室内ユニット（13）、塵埃捕集箱（90）の構成について順に説明する。
【００３３】
〈全体構成〉
図１に示すように、上記空気調和装置（10）は、室外ユニット（11）と室内ユニット（13）とを備えている。室外ユニット（11）には、圧縮機（30）、室外熱交換器（35）、膨張弁（36）、四路切換弁（33）および室外ファン（12）が設けられている。室内ユニット（13）には、室内熱交換器（37）および室内ファン（39）が設けられている。
【００３４】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００３５】
上記室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００３６】
上記室外ファン（12）は、室外熱交換器（35）の近傍に設けられている。室外熱交換器（35）では、室外ファン（12）によって送られる室外空気と該熱交換器（35）内を流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００３７】
上記四路切換弁（33）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００３８】
この空気調和装置（10）では、四路切換弁（33）が第１状態の場合、暖房運転が行われ、四路切換弁（33）が第２状態の場合、冷房運転が行われる。暖房運転では、冷媒回路（18）において、室外熱交換器（35）が蒸発器として機能し且つ室内熱交換器（37）が凝縮器として機能する蒸気圧縮式冷凍サイクルが行われる。一方、冷房運転では、冷媒回路（18）において、室外熱交換器（35）が凝縮器として機能し且つ室内熱交換器（37）が蒸発器として機能する蒸気圧縮式冷凍サイクルが行われる。
【００３９】
〈室内ユニットの構成〉
図２に示すように、上記室内ユニット（13）は、ケーシング本体（26）（ケーシング）と化粧パネル（27）とを有する室内ケーシング（34）を備えている。ケーシング本体（26）の外には、後述するように、ケーシング本体（26）内のエアフィルタ（40）から除去した塵埃を捕集するための塵埃捕集箱（90）が設けられている。また、図３から図５に示すように、室内ケーシング（34）内には、室内熱交換器（37）、ドレンパン（38）、室内ファン（39）、エアフィルタ（40）、塵埃除去手段（50）、塵埃貯留容器（60）および塵埃搬送手段（70）が設けられている。
【００４０】
上記ケーシング本体（26）は、下側が開放された略直方体の箱状に形成されている。ケーシング本体（26）の内面には、断熱材（17）が積層されている。また、上記ケーシング本体（26）は、天井板（1）の開口（1a）を挿通した状態で設置されるように、天井裏の天井面から吊り支持されている。
【００４１】
上記化粧パネル（27）は、矩形の板状に形成されている（図６参照）。化粧パネル（27）の平面視形状は、ケーシング本体（26）の平面視形状よりも一回り大きくなっている。化粧パネル（27）は、図３及び図５に示すように、シール部材（19）を間に挟んだ状態でケーシング本体（26）の下側を覆うように取り付けられる。これにより、上記化粧パネル（27）は、ケーシング本体（26）に取り付けられた状態で、室内側に露出している。
【００４２】
図６に示すように、上記化粧パネル（27）には、１つの吸込口（22）と４つの吹出口（23）とが形成されている。上記吸込口（22）は、化粧パネル（27）の中央部に矩形状に形成されていて、スリット状の吸込グリル（29）が嵌め込まれている。上記各吹出口（23）は、化粧パネル（27）の各辺に沿うように細長い矩形状に形成されている。そして、各吹出口（23）には、風向調整板（23a）が設けられている（図３等参照）。この風向調整板（23a）は、回動して風向（吹出方向）を調整するように構成されている。
【００４３】
また、図２にも示すように、上記化粧パネル（27）には、パネルの四隅に概略三角形状の開口部（27a,27a,…）が形成されている。これらの開口部（27a,27a,…）は、一般的には、室内ユニット（13）を保守点検する際、作業員が天井裏にアクセスするために利用される。例えば、上記開口部（27a）は、天井裏の天井面から吊り支持されているケーシング本体（26）の吊り高さを調整する際などに作業者がアクセスするために利用される。そのため、通常、上記各開口部（27a）は、取り外し可能なカバー（27b）によって覆われている。
【００４４】
なお、本実施形態では、図２に示すように、上記４つの開口部（27a）のうち一つの開口部（27a）に、後述する塵埃捕集箱（90）から延びる回収ダクト（77）（塵埃回収路）の一端が位置付けられている。このように回収ダクト（77）の一端を開口部（27a）に位置付けることで、該開口部（27a）を覆うカバー部（28b）を開けて掃除機（95）のノズル（95a）を室内側から差し込めるようになっている（図２（ｂ）参照）。
【００４５】
上記室内ファン（39）は、いわゆるターボファンである。図３及び図５に示すように、室内ファン（39）は、ケーシング本体（26）の中央付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。このベルマウス（25）は、ケーシング本体（26）内において、室内熱交換器（37）の上流側の空間を室内ファン（39）側と吸込グリル（29）側とに区画している。上記室内ファン（39）は、ベルマウス（25）を介して下側から吸い込んだ空気を周方向へ吹き出すように構成されている。
【００４６】
上記室内熱交換器（37）は、クロスフィン式のフィン・アンド・チューブ型熱交換器として構成されている。室内熱交換器（37）は、平面視でロ字状に形成され、室内ファン（39）を囲むように配置されている。室内熱交換器（37）では、室内ファン（39）によって送られる室内空気（吹出空気）と該熱交換器（37）内を流通する冷媒との間で熱交換が行われる。
【００４７】
上記ドレンパン（38）は、室内熱交換器（37）の下側に設けられている。ドレンパン（38）は、室内熱交換器（37）において空気中の水分が凝縮して生じるドレン水を受けるためのものである。ドレンパン（38）には、ドレン水を排水するためのドレンポンプが設けられている（図示省略）。ドレンパン（38）は、ドレンポンプを設置した箇所にドレン水が集まるように勾配がつけられている。
【００４８】
上記エアフィルタ（40）は、長いシート状に形成され、ベルマウス（25）の下方（入口側）に配置されている。エアフィルタ（40）は、図７に示すように、平面視矩形状のフィルタ本体（41）と、巻取り部（42）とを備えている。フィルタ本体（41）は、ベルマウス（25）の入口を覆う大きさに形成され、室内ファン（39）に吸い込まれる室内空気中の塵埃を捕捉するように構成されている。上記巻取り部（42）は、フィルタ本体（41）の一対の対向する各辺に接続されるように該フィルタ本体（41）と連続的に設けられていて、後述する塵埃除去手段（50）の第１巻取ドラム（53）および第２巻取ドラム（54）に巻き取られる（図３参照）。また、フィルタ本体（41）の巻取り部（42）が接続されていない各辺（以下、側辺という。）には、ダンパ用突片（43）および容器用突片（44）が設けられている。上記ダンパ用突片（43）は、フィルタ本体（41）の端部に設けられている一方、上記容器用突片（44）は、概ね、側辺全体に亘って設けられている。
【００４９】
上記塵埃除去手段（50）は、エアフィルタ（40）に捕捉された塵埃を除去するためのものである。上記塵埃除去手段（50）は、図３及び図４に示すように、ブラシ部材である回転ブラシ（51）と、フィルタ移動手段（52）とを備えている。
【００５０】
上記フィルタ移動手段（52）は、エアフィルタ（40）を所定位置に保持する一方、エアフィルタ（40）を回転ブラシ（51）に対して往復動させるためのものである。フィルタ移動手段（52）は、第１巻取ドラム（53）、第２巻取ドラム（54）およびガイドローラ（55）を備えている。
【００５１】
上記第１巻取ドラム（53）および第２巻取ドラム（54）は、ベルマウス（25）の下方で且つその入口よりも外方に配置されている。第１巻取ドラム（53）は図３における右側（以下、後方側という。）に位置し、第２巻取ドラム（54）は図３における左側（以下、前方側という。）に位置している。上記巻取ドラム（53,54）は、図４に示す駆動モータ（56）によって回転駆動されて、エアフィルタ（40）の巻取り部（42）を巻き取ったり、巻き戻したりするように構成されている。これにより、エアフィルタ（40）のフィルタ本体（41）は、前方側または後方側へ移動する。ガイドローラ（55）は、第１巻取ドラム（53）のやや前方側に配置されている。このガイドローラ（55）は、エアフィルタ（40）の巻取り部（42）を下から支持すると共に、エアフィルタ（40）の移動に従って回転するように構成されている。
【００５２】
なお、上記ベルマウス（25）の下面には、該ベルマウス（25）の入口を囲むように形成された枠状のガイド部材（57）が取り付けられている（図３および図５参照）。このガイド部材（57）は、エアフィルタ（40）の移動を上方からガイドするためのものである。
【００５３】
上記回転ブラシ（51）は、棒状のシャフト部と、シャフト部の周囲の複数の植毛により構成されたブラシ部とを備えている。回転ブラシ（51）は、エアフィルタ（40）の下方且つ前方側に位置付けられるように、後述する塵埃貯留容器（60）のブラシ用開口（62）内に配置されている。上記回転ブラシ（51）は、フィルタ本体（41）が移動して、ブラシ部が該フィルタ本体（41）に接触することにより塵埃を除去するよう構成されている。なお、回転ブラシ（51）は、ガイド部材（57）との間でフィルタ本体（41）を挟み込むような位置に配置されている。したがって、フィルタ本体（41）が確実に回転ブラシ（51）に押し付けられるため、塵埃の除去効率を向上することができる。
【００５４】
上記塵埃貯留容器（60）は、回転ブラシ（51）によって除去された塵埃が一旦貯留されるものである。塵埃貯留容器（60）は、図８にも示すように、やや細長い直方体状の容器である。塵埃貯留容器（60）は、エアフィルタ（40）の下方且つ前方側で該エアフィルタ（40）を横断するように配置されている（図３及び図４参照）。なお、上述したように、塵埃貯留容器（60）の上面に形成されたブラシ用開口（62）には、回転ブラシ（51）が設けられている。
【００５５】
上記塵埃貯留容器（60）には、前方側の面に、上下方向中央部分が円弧状に膨出した円弧部（61）が形成されている。エアフィルタ（40）は、この円弧部（61）に沿うように折り返されて、第２巻取ドラム（54）に巻き取られる。また、塵埃貯留容器（60）の幅方向の端面（以下、側面という。）及び後方側の面（以下、後面という。）には、後述する塵埃搬送手段（70）のフレキシブル管（73,75）が接続されるダクト用開口（63）がそれぞれ形成されている。
【００５６】
上記塵埃貯留容器（60）は、エアフィルタ（40）の移動に伴い回動するように構成されている。具体的には、図９にも示すように、上記塵埃貯留容器（60）には、その長さ方向に貫通する回動軸（65）が設けられると共に、上面の端部で突出するようにフィルタ作用部（64）が設けられている。
【００５７】
そして、上記塵埃貯留容器（60）は、通常運転時には、後方側がスプリング（66）の付勢力によって上方向に付勢される（図９（ａ）参照）ように構成されている。なお、塵埃貯留容器（60）の後方側とガイド部材（57）との間にはシール部（図示省略）が設けられていて、上述のように塵埃貯留容器（60）の後方側が上方に付勢された状態で該塵埃貯留容器（60）の内部と室内ファン（39）の吸込側とが遮断されるようになっている。
【００５８】
また、上記塵埃貯留容器（60）は、フィルタ清掃時には、エアフィルタ（40）が移動してそのエアフィルタ（40）の容器用突片（44）がフィルタ作用部（64）に接触することで、下向きに押し下げられて回動するように構成されている（図９（ｂ）参照）。この状態では、上述したシール部が開口し、フィルタ本体（41）が塵埃貯留容器（60）とガイド部材（57）との間を通過し易くなる。以上のように、回動軸（65）、フィルタ作用部（64）およびスプリング（66）は、エアフィルタ（40）の移動によって塵埃貯留容器（60）を回動させる回動機構を構成している。
【００５９】
上記塵埃搬送手段（70）は、室内ファン（39）の吹出空気を上記塵埃貯留容器（60）へ導入して、該塵埃貯留容器（60）から塵埃を空気と共にケーシング本体（26）外へ搬送（排出）するもので、図３から図５に示すように、供給側ダクト（71）および排出側ダクト（74）を備えている。つまり、この塵埃搬送手段（70）は、室内ファン（39）の吹出空気を利用して塵埃貯留容器（60）の塵埃をケーシング外まで搬送するように構成されている。
【００６０】
上記供給側ダクト（71）および排出側ダクト（74）は、ベルマウス（25）の下側空間に配置されている。供給側ダクト（71）は、出口端がフレキシブル管（73）を介して塵埃貯留容器（60）の後面のダクト用開口（63）に接続されている。排出側ダクト（74）は、容易に変形可能なフレキシブルダクトによって構成されていて、入口端がフレキシブル管（75）を介して塵埃貯留容器（60）の側面のダクト用開口（63）に接続されている。
【００６１】
上記供給側ダクト（71）は、入口側開口が室内ファン（39）の配置空間に連通するように構成され、その開口部に開閉自在なダンパ（72）が設けられている。つまり、供給側ダクト（71）の入口側開口が室内ファン（39）の吹出側と室内熱交換器（37）との間に位置している。図４及び図１０に示すように、このダンパ（72）は、エアフィルタ（40）の移動によって開閉するように構成されている。具体的には、供給側ダクト（71）の内部には、一端がダンパ（72）の開閉蓋（72a）に取り付けられる開閉用レバー（81）が設けられている。この開閉用レバー（81）は、途中箇所に回動軸（82）を有して、該回動軸（82）を中心にして回動するように構成されている。開閉用レバー（81）の他端は、供給側ダクト（71）の上面の開口孔から出没するフィルタ作用部（81a）になっている。
【００６２】
つまり、上記供給側ダクト（71）の入口側開口は、室内熱交換器（37）を通過する前の室内ファン（39）の吹出空気が導入される導入口を構成している。また、上記ダンパ（72）は、その塵埃搬送手段（70）の導入口を開閉する開閉手段を構成している。
【００６３】
そして、上記ダンパ（72）は、通常運転時には、開閉用レバー（81）の一端側（ダンパ（72）側）がスプリング（83）によって下向きに付勢され、開閉蓋（72a）が閉じられるようになっている（図１０（ａ）参照）。これにより、室内ファン（39）の吹出空気は、供給側ダクト（71）へは流入しない。なお、この状態では、開閉用レバー（81）のフィルタ作用部（81a）が供給側ダクト（71）の上面開口孔から突出した状態になる。
【００６４】
また、上記ダンパ（72）は、フィルタ清掃時には、エアフィルタ（40）の移動によってそのエアフィルタ（40）のダンパ用突片（43）がフィルタ作用部（81a）に接触することで、該フィルタ作用部（81a）が供給側ダクト（71）内に没入するようになっている（図１０（ｂ）参照）。この状態では、開閉用レバー（81）の一端側が上向きに回動して、ダンパ（72）の開閉蓋（72a）が開く。これにより、室内ファン（39）の吹出空気がダンパ（72）から供給側ダクト（71）へ流入し、塵埃貯留容器（60）へ供給される。
【００６５】
上記排出側ダクト（74）は、出口端がケーシング本体（26）の側壁を貫通して、図２に示すように該ケーシング本体（26）の側面に取り付けられた塵埃捕集箱（90）まで延びている。つまり、この排出側ダクト（74）は、塵埃貯留容器（60）に貯留された塵埃を供給側ダクト（71）の空気と共にケーシング外の塵埃捕集箱（90）に搬送（排出）するように構成されている。すなわち、上記排出側ダクト（74）の内部には搬送通路（76）が構成されている。
【００６６】
〈塵埃捕集箱の構成〉
上記塵埃捕集箱（90）は、略直方体状の金属製部材であり、上記図２に示すように、平面視（室内側から見て）で、一部分が天井板（1）の開口（1a）よりも外方に位置するように配置されている。このように、上記塵埃捕集箱（90）を、平面視で天井板（1）の開口（1a）から外方にはみだすように配置することで、該開口（1a）やケーシング本体（26）の大きさによって制約を受けることなく、容積の大きなものにすることができる。これにより、多量の塵埃を捕集することが可能になり、塵埃捕集箱（90）から塵埃を回収する頻度を少なくすることができ、塵埃の回収作業における作業効率の向上を図れる。なお、上記図２では、上記塵埃捕集箱（90）は、その一部分が化粧パネル（27）よりも外方に位置するような大きさに形成されているが、この限りではなく、一部分が上記天井板（1）の開口（1a）よりも外方に位置するような大きさに形成されていればよい。
【００６７】
上記塵埃捕集箱（90）の後面（図の右側）には、上記排出側ダクト（74）の他端と接続されるダクト用開口（90a）（取込口）が形成されている。また、上記塵埃捕集箱（90）には、その上面に、上記供給側ダクト（71）及び排出側ダクト（74）を介して該塵埃捕集箱（90）内に導入される室内ファン（39）の吹出空気を天井裏へ排出するための排出口（90b）が形成されている。なお、本実施形態では、上記塵埃捕集箱（90）の後面にダクト用開口（90a）を、上面に排出口（90b）をそれぞれ設けているが、この限りではなく、例えば後面以外の面にダクト用開口（90a）を設け、上面以外の面に排出口（90b）を設けてもよい。
【００６８】
ここで、上記排出口（90b）は、上記ダクト用開口（90a）よりも開口面積が大きくなるように形成されていて、該排出口（90b）には、虫やゴミの上記塵埃捕集箱（90）内への進入を防止するための網部材（92）が設けられている。また、上記塵埃捕集箱（90）の側面の下部には、透明の部材（例えばガラスやアクリル板など）からなる覗き窓（93）が設けられていて、該塵埃捕集箱（90）内には抗菌剤や防虫剤が配設されているものとする。なお、上記塵埃捕集箱（90）全体若しくはその少なくとも一面を透明な部材によって構成してもよいし、覗き窓（93）の代わりに扉を設け、該扉を開けることによって箱内の塵埃貯留量を把握できるようにしてもよい。
【００６９】
また、上記塵埃捕集箱（90）には、上記ダクト用開口（90a）の設けられた面と対向する面に、容易に変形可能なフレキシブルダクトによって構成された回収ダクト（77）の接続される回収ダクト用開口（90c）が設けられている。なお、この実施形態では、上記ダクト用開口（90a）の設けられた面と対向する面に回収ダクト用開口（90c）を設けているが、この限りではなく、上記塵埃捕集箱（90）内から塵埃を掃除機（95）によって効率良く吸引回収することのできる位置であればどの面に形成してもよい。
【００７０】
そして、本発明の特徴部分として、上記塵埃捕集箱（90）は、例えば図１２に示すようにケーシング本体（26）と天井板（1）の開口縁部との間の隙間Ｘから天井裏内へ搬入できるように、折りたたみ可能に構成されている。ここで、上記図１２は、上記ケーシング本体（26）を天井裏の天井面から支持部材（85）によって吊り支持した後、塵埃捕集箱（90）を天井裏に搬入する場合を示している。なお、上記図１２の場合、塵埃捕集箱（90）の搬入スペース（隙間Ｘ）をできるだけ確保するように、上記ケーシング本体（26）は取り付け位置よりも上方に位置付けられている。
【００７１】
具体的には、上記塵埃捕集箱（90）は、図１３に示すように、各パネル（97,98,…）が互いに接続されていて、全体として略平板状の折りたたみ状態（図１３（ａ））と、箱状の組立状態（図１３（ｂ））とに変形可能に構成されている。
【００７２】
より詳しくは、上記塵埃捕集箱（90）を構成する複数のパネル（97,98,…）のうち、箱状になったときに対向する位置に配置される２枚のパネル（97,97）は、その一辺で残りの４枚のパネル（98,98,…）のうちの１枚のパネル（98）に接続され、該残りの４枚のパネル（98,98,…）は角筒状に接続されている。そして、上記パネル（97,98,…）同士の接続部分には、該パネル（97,98,…）の辺に沿って延びるようにスリット（90d,90d,…）が形成されている。これにより、上記接続部分でパネル（97,98,…）が面直交方向に回動しやすくなり、該パネル（97,98,…）を容易に折りたたむことができる。なお、上記接続部分では、各パネル（97,98,…）の回動を阻害することなくパネル（97,98,…）を接続できるように、パネル（97,98,…）同士はテープ（94）によって接続されている。
【００７３】
この構成により、上記塵埃捕集箱（90）は、上記角筒状に接続された４枚のパネル（98,98,…）を略平板状に折りたたんだ状態と、該４枚のパネル（98,98,…）を角筒状に組み立てて残りの２枚のパネル（97,97）で両端部を塞いだ箱状に組み立てた状態とに変形可能となる。なお、上記２枚のパネル（97,97）の自由端部には、上記４枚のパネル（98,98,…）からなる角筒部の軸線方向内方に向かって折り曲げられた折り曲げ部（97a）が設けられている。上記図１３（ｂ）に示すように、この折り曲げ部（97a）を上記角筒部の外表面上に重ね合わせた状態でボルト（99）によって締結固定することにより、上記塵埃捕集箱（90）を構成することができる。
【００７４】
しかも、上述のように、上記塵埃捕集箱（90）を構成する各パネル（97,98,…）は、互いに接続されているとともに、それらの接続部分にはスリット（90d,90d,…）が設けられていて上記各パネル（97,98,…）の面直交方向への回動が容易になっているため、上記塵埃捕集箱（90）の折りたたみ及び組立が容易になり、天井裏への搬入作業性及び該天井裏内での組立作業性の向上を図れる。
【００７５】
具体的には、上記図１２に示すような狭い隙間Ｘから天井裏内へ上記塵埃捕集箱（90）を搬入する際は、該塵埃捕集箱（90）を上記図１３（ａ）に示すように略平板状に折りたたんだ状態にすることで、該塵埃捕集箱（90）の天井裏への搬入を容易に行うことができる。一方、上記塵埃捕集箱（90）を天井裏内へ搬入した後は、４枚のパネル（98,98,…）を角筒状にしてその両端部を２枚のパネル（97,97）で塞ぐことにより、狭い天井裏内で塵埃捕集箱（90）を容易に箱状に組み立てることができる。
【００７６】
上述のようにして組み立てられた上記塵埃捕集箱（90）は、ケーシング本体（26）の側面に対して、図１４に示すように、磁石（96）（係止手段）によって取り付けられる。ここで、上記ケーシング本体（26）は、金属部材を組み合わせてなり、上記塵埃捕集箱（90）の側面に配設された複数の磁石（96,96,…）が付着可能なように構成されている。
【００７７】
このように塵埃捕集箱（90）の係止手段として磁石（96）を用いることによって、該塵埃捕集箱（90）をケーシング本体（26）の側面に容易に固定することができる。すなわち、上記塵埃捕集箱（90）を天井裏で支持するための工事を行う必要がなくなり、設置時の作業を軽減することができる。また、このように、磁石（96）を用いることで、ケーシング本体（26）の側面に多少の凹凸がある場合でも塵埃捕集箱（90）を該ケーシング本体（26）の側面に確実に取り付けることができる。
【００７８】
なお、この実施形態では、磁石（96）を用いて上記塵埃捕集箱（90）をケーシング本体（26）の側面に取り付けるようにしているが、この限りではなく、例えば、接着剤で固定するようにしてもよいし、塵埃捕集箱（90）及びケーシング本体（26）の少なくとも一方に突出部を設けて該突出部を他方の部材に係止させたりするなど、他の係止手段を用いて固定するようにしてもよい。
【００７９】
〈フィルタ清掃動作〉
本実施形態の空気調和装置（10）は、冷暖房を行う通常運転と、エアフィルタ（40）の清掃を行うフィルタ清掃運転とが切換可能に構成されている。
【００８０】
まず、通常運転では、圧縮機（30）、室外ファン（12）および室内ファン（39）が駆動される。室内ユニット（13）では、室内空気が吸込口（22）から吸い込まれてベルマウス（25）を通過した後、室内ファン（39）から吹き出される。この吹出空気は、室内熱交換器（37）の冷媒と熱交換して冷却または加熱された後、各吹出口（23）から室内へ供給される。
【００８１】
図１１（ａ）に示すように、上述した通常運転時において、エアフィルタ（40）は、ベルマウス（25）を覆う所定位置に配置される。したがって、吸込口（22）から吸い込まれた室内空気は、ベルマウス（25）に流入する前にエアフィルタ（40）を通過するが、その際に該エアフィルタ（40）に塵埃が捕捉される。また、供給側ダクト（71）のダンパ（72）は閉じられており、室内ファン（39）から吹き出される空気が供給側ダクト（71）に流入することはない。したがって、室内ファン（39）から吹き出された空気の全部が室内熱交換器（37）へ供給されるので、ファン（39）の運転効率の低下が防止される。
【００８２】
次に、フィルタ清掃運転（フィルタ清掃動作）について、図１１（ｂ）〜図１１（ｄ）を参照しながら説明する。フィルタ清掃運転では、エアフィルタ（40）に捕捉された塵埃を除去する塵埃除去動作と、除去された塵埃をケーシング本体（26）外へ搬送する塵埃搬送動作が行われる。
【００８３】
まず、フィルタ清掃運転では、室内ファン（39）が停止される一方、塵埃除去手段（50）の２台の駆動モータ（56）が駆動されて、塵埃除去動作が行われる。この状態では、図１１（ｂ）に示すように、エアフィルタ（40）が第２巻取ドラム（54）に巻き取られて移動していく。そうすると、エアフィルタ（40）の容器用突片（44）が塵埃貯留容器（60）のフィルタ作用部（64）に接触し、塵埃貯留容器（60）が下向きに回動する。これにより、塵埃貯留容器（60）の後方側とガイド部材（57）との間が開口するため、フィルタ本体（41）は塵埃貯留容器（60）に干渉することなく回転ブラシ（51）とガイド部材（57）との間を通過する。なお、上記塵埃貯留容器（60）と供給側ダクト（71）および排出側ダクト（74）とは、それぞれフレキシブル管（73,75）で接続されているので、該塵埃貯留容器（60）の回動動作によって寸断されることはない。
【００８４】
上記フィルタ本体（41）は、塵埃貯留容器（60）とガイド部材（57）との間を通過する際、回転ブラシ（51）によって塵埃が除去される。除去された塵埃は、塵埃貯留容器（60）内に貯留される。この状態において、ダンパ（72）は閉状態である。そして、フィルタ本体（41）全体が回転ブラシ（51）を通過すると、自動的に各駆動モータ（56）が逆回転してエアフィルタ（40）を巻き戻す（図１１（ｃ）参照）。これにより、エアフィルタ（40）は第１巻取ドラム（53）に巻き取られる。なお、上述のように駆動モータ（56）の回転方向が切り換わるまでは、エアフィルタ（40）の容器用突片（44）がフィルタ作用部（64）に接触し続けるので、塵埃貯留容器（60）は下向きに回動したままの状態である。
【００８５】
上記エアフィルタ（40）が巻き戻されて所定位置に戻ると、エアフィルタ（40）の容器用突片（44）がフィルタ作用部（64）から離隔し、塵埃貯留容器（60）が上向きに回動して元の状態に戻る。つまり、塵埃貯留容器（60）の後方側とガイド部材（57）との間がシールされる。そして、エアフィルタ（40）が所定位置に戻ると、室内ファン（39）が再び駆動されて、塵埃搬送動作が行われる。
【００８６】
上記室内ファン（39）が再駆動されると、エアフィルタ（40）がさらに第１巻取ドラム（53）に巻き取られる。つまり、図１１において、エアフィルタ（40）が所定位置から右方向に移動する。エアフィルタ（40）が移動すると、エアフィルタ（40）のダンパ用突片（43）が供給側ダクト（71）のフィルタ作用部（81a）に接触する。そうすると、図１１（ｄ）に示すように、供給側ダクト（71）の開閉用レバー（81）が回動して、ダンパ（72）の開閉蓋（72a）が開く。なお、このとき駆動モータ（56）は停止している。
【００８７】
上記ダンパ（72）が開くと、室内ファン（39）から吹き出した空気の一部が供給側ダクト（71）に流入して、塵埃貯留容器（60）内へ供給される。塵埃貯留容器（60）内へ流れ込んだ空気は、塵埃と共に排出側ダクト（74）へ流れてケーシング本体（26）外の塵埃捕集箱（90）内に排出される。このとき、上記塵埃捕集箱（90）内には、塵埃のみが貯留して、室内ファン（38）の吹出空気は該塵埃捕集箱（90）に形成された排出口（90b）から天井裏へ排出される。その際、塵埃貯留容器（60）とガイド部材（57）との間がシールされているため、塵埃貯留容器（60）に供給された空気がブラシ用開口（62）から流出することはない。この排出動作が所定時間行われると、駆動モータ（56）が再び駆動されて、エアフィルタ（40）が所定位置に戻される。これにより、エアフィルタ（40）のダンパ用突片（43）が開閉レバー（81）のフィルタ作用部（81a）から離隔し、ダンパ（72）が閉じられる。以上により、フィルタ清掃運転が終了する。
【００８８】
なお、上述のフィルタ清掃運転時において、駆動モータ（56）の逆回転駆動や発停のタイミングは、駆動モータ（56）の回転した数に応じて計るようにしてもよい。また、所定の箇所にリミットスイッチを配置すると共に、それに対応するストライカーをエアフィルタ（40）に設けることで、駆動モータ（56）の発停等のタイミングを計るようにしてもよい。
【００８９】
また、上記フィルタ清掃運転において、毎回、塵埃搬送動作を行う必要はない。例えば、フィルタ清掃運転時に塵埃貯留容器（60）の塵埃の貯留量が所定量を超えると検知する貯留量検知手段を設け、該検知手段が検知したときだけ、塵埃搬送動作を行うようにしてもよい。
【００９０】
そして、上記塵埃捕集箱（90）内に貯留された塵埃は、化粧パネル（27）のコーナー部に位置付けられた回収ダクト（77）の一端側から掃除機（95）のノズル（95a）によって吸引回収される。詳しくは、上記塵埃捕集箱（90）内の塵埃を回収する際は、上記化粧パネル（27）のコーナーに位置する開口部（27a）を覆うカバー部（28b）を開けた後、上記開口部（27a）内の回収ダクト（77）の一端側に設けられたノズル接続部（図示省略）に掃除機（95）のノズル（95a）の先端部を当接させて、その状態で掃除機（95）を作動させる。これにより、上記塵埃捕集箱（90）内に貯留された塵埃は、該塵埃捕集箱（90）の回収ダクト用開口（90c）に接続された回収ダクト（77）及び上記ノズル接続部を介して掃除機（95）によって吸引回収される。
【００９１】
−実施形態１の効果−
以上より、この実施形態では、エアフィルタ（40）から除去された後にケーシング本体（26）外へ排出された塵埃を貯留するための塵埃捕集箱（90）を、互いに接続された複数のパネル（97,98,…）によって構成するとともに、その接続部分では、該パネル（97,98,…）を面直交方向に回動可能に接続して、上記塵埃捕集箱（90）が概略平板状に折りたたまれた状態と箱状に組み立てられた状態とに変形可能な構成にすることで、狭い隙間Ｘから天井裏内に塵埃捕集箱（90）を搬入する際には該塵埃捕集箱（90）折りたたんだコンパクトな状態で搬入することができ、天井裏内で塵埃捕集箱（90）を容易に組み立てることができる。よって、上述の構成により、塵埃捕集箱（90）を天井裏内へ搬入する際の作業性の向上を図れるとともに、天井裏内での組立作業性の向上を図れる。
【００９２】
また、上記パネル（97,98,…）同士の接続部分に、接続されるパネル（97,98,…）の辺に沿うように延びるスリット（90d）を設けることで、当該接続部分でパネル（97,98,…）を面直交方向に容易に回動させることができ、塵埃捕集箱（90）の折りたたみ及び組立を容易に行うことができる。さらに、上記パネル同士（97,98,…）の接続部分にテープ（94）を用いることで、該パネル（97,98,…）の回動を阻害することなく、パネル同士（97,98,…）を接続することが可能となる。
【００９３】
そして、上述のような塵埃捕集箱（90）の構成は、該塵埃捕集箱（90）の大きさが、室内側から見て一部が天井板（1）の開口（1a）よりも外方にはみだすような大きさの場合に特に有用である。このような大きな塵埃捕集箱（90）の場合、天井板（1）の開口縁部とケーシング本体（26）との間の隙間Ｘから天井裏内へ塵埃捕集箱（90）を搬入するのが難しいため、上述のような構成にすることで、該塵埃捕集箱（90）を天井裏に容易に搬入できるとともに、天井裏内で容易に組み立てることができる。
【００９４】
−実施形態１の変形例−
この変形例１は、図１５に示すように、上記実施形態においてパネル（101,102,…）同士の接続部分にヒンジ部（103,103,…）を設けるようにしたものである。
【００９５】
具体的には、角筒状に接続される４枚のパネル（102,102,…）は、該パネル（102,102,…）の辺に沿って直列状に設けられた２つのヒンジ部（103,103）により接続されている。一方、該４枚のパネル（102,102,…）によって形成された角筒部の両端部を塞ぐ２枚のパネル（101,101）は、該角筒部を構成する４枚のパネル（102,102,…）のうち１枚のパネル（102）に対して１つのヒンジ部（103）により接続されている。
【００９６】
このように、上記パネル（101,102,…）の接続部分に、ヒンジ部（103,103,…）を設けることで、該パネル（101,102,…）からなる塵埃捕集箱（90）を折りたたんだ状態と箱状に組み立てた状態とにより確実に変形させることが可能となる。
【００９７】
《実施形態２》
次に、本発明の実施形態２について図１６に基づいて説明する。なお、本実施形態は、図１６に示すように、２つの構成部品（111,111）を組み合せて塵埃捕集箱（110）を構成するようにした点が上記実施形態１と異なるだけなので、同じ部分には同じ符号を付し、異なる部分について以下で説明する。
【００９８】
すなわち、本実施形態に係る塵埃捕集箱（110）は、同じ形状の２つの構成部品（111,111）を組み合わせてなるもので、該構成部品（111）は、塵埃捕集箱（110）を長手方向に分断したような形状を有している。より詳しくは、上記構成部品（111）は、それぞれ、一面が開口した箱状に形成されていて、その開口側には、開口周縁部から外方に延びるフランジ部（111a）が設けられている。
【００９９】
そして、上記構成部品（111）のフランジ部（111a）同士を重ね合わせた状態で、すなわち、該構成部品（111）の開口側同士を合わせた状態で、該フランジ部（111a,111a）同士をボルト（112,112）により接続固定することで、上記塵埃捕集箱（110）を構成することができる。
【０１００】
なお、この実施形態では、上記塵埃捕集箱（110）を同じ形状の２つの構成部品（111,111）によって構成するようにしたが、これに限らず、３つ以上の構成部品によって塵埃捕集箱（110）を構成してもよい。
【０１０１】
−実施形態２の効果−
以上より、この実施形態によれば、塵埃捕集箱（110）を同じ形状の２つの構成部品（111,111）によって構成したため、該塵埃捕集箱（90）よりも小さい構成部品（111,111）の状態で天井裏内へ搬入することができ、狭い隙間からでも天井裏内への搬入が可能になるとともに、搬入作業性の向上を図れる。また、上記２つの構成部品（111,111）を組み合わせることで塵埃捕集箱（110）を構成できるため、狭い天井裏内でも該塵埃捕集箱（90）を容易に組み立てることができ、該塵埃捕集箱（90）の組立作業性の向上も図れる。
【０１０２】
《実施形態３》
次に、本発明の実施形態３について図１７に基づいて説明する。なお、本実施形態は、図１７に示すように、塵埃捕集箱（120）に蛇腹部（121）を設けて、該塵埃捕集箱（120）を伸縮可能な構成にした点が上記実施形態１と異なるだけなので、同じ部分には同じ符号を付し、異なる部分について以下で説明する。
【０１０３】
すなわち、上記塵埃捕集箱（120）は、直方体状に形成されていて、その側面に長手方向に伸縮可能なように蛇腹部（121）が設けられている。より詳しくは、この蛇腹部（121）は、上記塵埃捕集箱（120）の両端面以外の４つの側面が蛇腹状に形成されてなり、該塵埃捕集箱（120）が縮んだ状態（図１７（ａ））と延びた状態（図１７（ｂ））とになるように構成されている。上記塵埃捕集箱（120）は、蛇腹部（121）での変形が可能なように、例えば樹脂材料によって形成されている。そのため、室内ユニット（13）のケーシング本体（26）の側面に上記塵埃捕集箱（120）を係止する場合には、該ケーシング本体（26）または塵埃捕集箱（120）のいずれか一方に突出部を設けて、該突出部を相手部材に係止させるようにすればよい。
【０１０４】
なお、上記図１７において、符号120aは、排出側ダクト（74）が接続されるダクト用開口を示す。
【０１０５】
−実施形態３の効果−
以上より、この実施形態によれば、塵埃捕集箱（120）に蛇腹部（121）を設けて、該塵埃捕集箱（120）を伸縮可能にしたため、該蛇腹部（121）を縮めて塵埃捕集箱（120）を小さくすることで、狭い隙間から天井裏への塵埃捕集箱（120）の搬入が可能になるとともに、天井裏に搬入する際の作業性の向上を図れる。また、上述の構成にすることで、狭い天井裏内でボルト等を用いて組み立てることなく、上記蛇腹部（121）を延ばすだけで塵埃捕集箱（120）を所定の大きさにすることができるため、該塵埃捕集箱（120）の組立作業性の向上も図れる。
【０１０６】
《その他の実施形態》
上記実施形態は、以下のように構成してもよい。
【０１０７】
上記実施形態１、２では、室内ユニット（13）のケーシング本体（26）に磁石（96）を介して塵埃捕集箱（90,110,120）を取り付け固定するようにしているが、この限りではなく、塵埃捕集箱を天井裏の天井面から支持部材によって吊り支持したり、天井裏の床面上に設置したりするようにしてもよい。
【０１０８】
また、上記各実施形態では、塵埃捕集箱（90,100）を略直方体状としているが、この限りではなく、四面体など、箱として機能する多面体形状であればどのような形状であってもよい。
【０１０９】
また、上記各実施形態では、エアフィルタ（40）の移動に応じて、塵埃貯留容器（60）やダンパ（72）を駆動させ、該エアフィルタ（40）から回転ブラシ（51）によって除去した塵埃を室内ファン（39）の吹出空気でケーシング本体（26）外へ排出するようにしているが、この限りではなく、上記エアフィルタ（40）に捕捉された塵埃を除去し、その塵埃をケーシング本体（26）外へ排出する構成であればどのような構成であってもよい。
【０１１０】
また、上記各実施形態では、回転ブラシ（51）で除去した塵埃を塵埃貯留容器（60）に一旦溜めてから搬送するようにしたが、塵埃貯留容器（60）や供給側ダクト（71）を省略し、回転ブラシ（51）で除去した塵埃を直接室内ファン（39）の吹出空気によって搬送するようにしてもよい。
【産業上の利用可能性】
【０１１１】
以上説明したように、本発明は、エアフィルタの塵埃除去機能を備えた空気調和装置の室内ユニットから排出される塵埃を貯留するための塵埃捕集箱として有用である。
【図面の簡単な説明】
【０１１２】
【図１】図１は、本発明の実施形態に係る塵埃捕集箱を備えた空気調和装置の構成を示す配管系統図である。
【図２】図２は、室内ユニットを示す図であり、（ａ）は天井裏から視た平面図であり、（ｂ）は側面図である。
【図３】図３は、ケーシング内の構成を示す縦断面図である。
【図４】図４は、図３のIV-IV線断面図である。
【図５】図５は、図４のV−V線断面図である。
【図６】図６は、化粧パネルを下側から視て示す斜視図である。
【図７】図７は、エアフィルタを示す平面図である。
【図８】図８は、塵埃貯留容器を後方から視て示す斜視図である。
【図９】図９は、塵埃貯留容器の回動機構を示す図であり、（ａ）は非回動時の状態を示し、（ｂ）は回動時の状態を示す。
【図１０】図１０は、供給側ダクトのダンパの開閉機構を示す図であり、（ａ）はダンパ閉時の状態を示し、（ｂ）はダンパ開時の状態を示す。
【図１１】図１１は、本発明の実施形態に係るフィルタ清掃運転の動作を示す図であり、（ａ）は通常運転時の状態を、（ｂ）はフィルタ巻取り時の状態を、（ｃ）はフィルタ巻戻し時の状態を、（ｄ）は塵埃排出時の状態をそれぞれ示す。
【図１２】図１２は、塵埃捕集箱を天井裏に搬入する際のケーシング本体と天井板との関係を示す断面図である。
【図１３】図１３は、塵埃捕集箱の斜視図であり、（ａ）は略平板状の折りたたみ状態を示し、（ｂ）は箱状の組み立て状態を示す。
【図１４】図１４は、塵埃捕集箱の取付構造の概略構成を示す斜視図である。
【図１５】図１５は、実施形態１の変形例１に係る塵埃捕集箱の図１３相当図である。
【図１６】図１６は、実施形態２に係る塵埃捕集箱の図１３相当図である。
【図１７】図１７は、実施形態３に係る塵埃捕集箱の図１３相当図である。
【符号の説明】
【０１１３】
1      天井板
1a     開口
10      空気調和装置
13      室内ユニット
26      ケーシング本体（ケーシング）
27      化粧パネル（室内側パネル）
39      室内ファン
40      エアフィルタ
50      塵埃除去手段
51      回転ブラシ
60      塵埃貯留容器
70      塵埃搬送手段
76      搬送通路
90,110,120  塵埃捕集箱
90d     スリット（スリット部）
96      磁石（係止手段）
97,98,101,102  パネル
103      ヒンジ部
111      構成部品
121      蛇腹部
【図１】
2009047381.tif 000003
【図２】
2009047381.tif 000004
【図３】
2009047381.tif 000005
【図４】
2009047381.tif 000006
【図５】
2009047381.tif 000007
【図６】
2009047381.tif 000008
【図７】
2009047381.tif 000009
【図８】
2009047381.tif 000010
【図９】
2009047381.tif 000011
【図１０】
2009047381.tif 000012
【図１１】
2009047381.tif 000013
【図１２】
2009047381.tif 000014
【図１３】
2009047381.tif 000015
【図１４】
2009047381.tif 000016
【図１５】
2009047381.tif 000017
【図１６】
2009047381.tif 000018
【図１７】
2009047381.tif 000019